(57)【特許請求の範囲】
【請求項１】
収納体内に多数枚のウエットティッシュが積層収納されたウエットティッシュ包装体において、
上記ウエットティッシュの底面側から所定枚数目の１又は２以上のシートを、着色せずに、それ以外のシートと視覚又は触覚により識別可能な残り枚数検知用シートとなしてあり、
上記残り枚数検知用シートは、すかし模様が形成されることによりそれ以外のシートと視覚又は触覚により識別可能になしてあり、
上記すかし模様は、上記残り枚数検知用シートのほぼ全面に万遍なく形成されており、上記すかし模様の形成されている部分の合計面積は、上記残り枚数検知用シートの全表面積の０．５〜５０％であり、
上記収納体は、フィルムを筒状に形成し、その開口端部を封着して形成したものであり、該収納体の上面には、その中央部が開口されてウエットティッシュ取り出し用の取出口が形成されており、上記各シートは、その上下のシートと噛み合った状態で折り畳まれて、上記収納体の上記取出口からポップアップ式に一枚ずつ取り出し可能に該収納体に収納されており、
上記ウエットティッシュは、パルプ不織布に清拭剤を含浸したものである
ことを特徴とするウエットティッシュ包装体。
【発明の詳細な説明】
【０００１】
【発明の属する技術分野】
本発明は、収納体内に多数枚のウエットティッシュが積層収納されたウエットティッシュ包装体に関し、更に詳しくは、ウエットティッシュの衛生や使用感に悪影響を及ぼすことなく、ウエットティッシュの残り枚数を検知できるウエットティッシュ包装体に関する。
【０００２】
【従来の技術及び発明が解決しようとする課題】
従来より、収納体内に多数枚のウエットティッシュが積層収納されたウエットティッシュはよく知られている。
このウエットティッシュ包装体は、そのまま、又はプラスチック製容器に収納体ごと収容し、収納体に形成された取出口からウエットティッシュを一枚ずつ取り出して使用するものである。この様な従来のウエットティッシュ包装体では、ウエットティッシュに含浸された清拭剤や化粧料等の蒸発を回避できるように、収納体は蒸気透過性の低い材料から形成されている。
【０００３】
しかし、収納体を形成するのに適切であり且つ上記透過性の低い材料は通常不透明なものであるため、上述の様な従来のウエットティッシュ包装体では、収納されたウエットティッシュの残り枚数を外部から検知できない欠点がある。
このような欠点を排除するために、箱入りティッシュペーパー等では、一定の残り枚数の位置に、他のペーパーとは色の異なるティッシュペーパーを配置する技術が採用されている。しかし、この技術をウエットティッシュ包装体に適用してウエットティッシュを着色すると、ウエットティッシュの汚れが見え難く不衛生になり易い等衛生上好ましくない。また、色素が上下のウエットティッシュに移行して着色されたシートをはっきり区別できなかったり使用者に不快感を与える等の問題も生じる。
【０００４】
従って、本発明の目的は、ウエットティッシュの衛生や使用感に悪影響を及ぼすことなく、ウエットティッシュの残り枚数を検知できるウエットティッシュ包装体を提供することにある。
【０００５】
【課題を解決するための手段】
本発明は、収納体内に多数枚のウエットティッシュが積層収納されたウエットティッシュ包装体において、上記ウエットティッシュの底面側から所定枚数目の１又は２以上のシートを、着色せずに、それ以外のシートと視覚又は触覚により識別可能な残り枚数検知用シートとなしてあり、上記残り枚数検知用シートは、すかし模様が形成されることによりそれ以外のシートと視覚又は触覚により識別可能になしてあり、上記すかし模様は、上記残り枚数検知用シートのほぼ全面に万遍なく形成されており、上記すかし模様の形成されている部分の合計面積は、上記残り枚数検知用シートの全表面積の０．５〜５０％であり、上記収納体は、フィルムを筒状に形成し、その開口端部を封着して形成したものであり、該収納体の上面には、その中央部が開口されてウエットティッシュ取り出し用の取出口が形成されており、上記各シートは、その上下のシートと噛み合った状態で折り畳まれて、上記収納体の上記取出口からポップアップ式に一枚ずつ取り出し可能に該収納体に収納されており、上記ウエットティッシュは、パルプ不織布に清拭剤を含浸したものであることを特徴とするウエットティッシュ包装体を提供することにより、上記目的を達成したものである。
【０００７】
【発明の実施の形態】
以下、本発明のウエットティッシュ包装体の一実施形態を図面を参照しながら具体的に説明する。
図１は、本発明のウエットティッシュ包装体の一実施形態を示す縦断面図、図２は図１のウエットティッシュ包装体の残り枚数検知用シートの一例を示す要部の斜視図である。
【０００８】
本実施形態のウエットティッシュ包装体１は、図１に示す様に、収納体１１内に多数枚のウエットティッシュ１２が積層収納されたウエットティッシュ包装体１であり、これらの各構成については従来の公知技術と同じである。
而して、本実施形態のウエットティッシュ包装体１では、上記ウエットティッシュ１２の底面側から所定枚数目の１又は２以上のシートを、図２に示す様に、着色せずに、それ以外のシート１２ａと視覚又は触覚により識別可能な残り枚数検知用シート１２ｂとなしてある。
【０００９】
本実施形態について更に詳述すると、上記収納体１１は、アルミ箔の両面にプラスチックラミネート加工を施したフィルムを筒状に形成し、その開口端部を封着して形成したものである。収納体１１の上面には、その中央部が楕円形形状に開口されてウエットティッシュ取り出し用の取出口１３が形成されている。また収納体１１の上面には開閉蓋用ラベル１４が剥離自在に貼付さており、この開閉蓋用ラベル１４によって取出口１３が開閉されるようになっている。
上記ウエットティッシュ１２は、パルプ不織布に清拭剤を含浸したものであり、各シートがその上下のシートと噛み合った状態で折り畳まれて、収納体１１の取出口１３からポップアップ式に一枚ずつ取り出し可能に収納体１１に収納されている。
【００１０】
上記残り枚数検知用シート１２ｂは、それ以外のシート１２ａと同じ大きさのパルプ不織布に水圧によるすかし加工を施して多数のすかし模様１２ｃを形成し且つ清拭剤を含浸させたものである。そしてウエットティッシュ１２の残り枚数１０枚目の位置に、それ以外のシート１２ａと同様に折り畳まれた状態で収納されている。
上記すかし模様１２ｃは、残り枚数検知用シート１２ｂのほぼ全面に万遍なく形成されており、このすかし模様１２ｃの形成されている部分の合計面積は残り枚数検知用シート１２ｂの全表面積の約０．５〜５０％、望ましくは、１〜１０％となっている。
【００１１】
上述の構成を有する本実施形態のウエットティッシュ包装体１では、ウエットティッシュ１２を順番に引き出していき、残り枚数が１０枚目になると、残り枚数検知用シート１２ｂが引き出され、目視によりウエットティッシュ１２の残り枚数が検知される。
【００１２】
この様に、本実施形態のウエットティッシュ包装体１によれば、残り枚数が所定数となると残り枚数検知用シート１２ｂが引き出され、ウエットティッシュ１２の残り枚数が検知でき、新たなウエットティッシュ包装体を用意するための目印とすることができる。そして、残り枚数検知用シート１２ｂは着色されていないので、ウエットティッシュの衛生や使用感に悪影響を及ぼすことがない。
【００１３】
また、本実施形態のウエットティッシュ包装体１では、残り枚数検知用シート１２ｂのうちすかし模様１２ｃの形成されている部分の合計面積は残り枚数検知用シート１２ｂの全表面積の約０．５〜５０％、望ましくは１〜１０％となっているので、この残り枚数検知用シート１２ｂを、視覚又は触覚により容易に識別可能である。
【００１４】
本発明は上述した実施形態に限定されるものではなく、本発明の趣旨を逸脱しない限り適宜変更可能である。
この他、ウエットティッシュのうち残り枚数１０枚目に限らず、１箇所又は２箇所以上の適当な位置のシートを残り枚数検知用シート１２ｂとしてもよい。２箇所以上の位置に残り枚数検知用シート１２ｂを配する場合には、それぞれの残り枚数検知用シート１２ｂは、すかし模様１２ｃの位置や形状等を異なるものとして、互いに区別できるようにしておくことが望ましい。
【発明の効果】
以上説明したように、本発明のウエットティッシュ包装体によれば、ウエットティッシュの衛生や使用感に悪影響を及ぼすことなく、ウエットティッシュの残り枚数が検知できる。
【図面の簡単な説明】
【図１】本発明のウエットティッシュ包装体の一実施形態を示す縦断面図である。
【図２】図１のウエットティッシュ包装体の残り枚数検知用シートの一例を示す要部の平面図である。
【符号の説明】
１    ウエットティッシュ包装体
１１    収納体
１２    ウエットティッシュ
１２ａ  それ以外のシート
１２ｂ  残り枚数検知用シート
１２ｃ  すかし模様
１３    取出口
１４    開閉蓋用ラベル
【図１】
0004043059.tif 000002
【図２】
0004043059.tif 000003